(57)【要約】【課題】冬季における蛇口の凍結や破損を防ぎ、蛇口の新設既設を問わず専門的知識や技術がなくても誰にでも簡単に取付けることが可能な効果音付蛇口保温カバーを提供する。【解決手段】本体３及び本体４内部に蛇口の形状に成形されたポリスチレンフォーム６が内蔵されており蛇口上部には蛇口カバー２が覆い被さる形になっているため蛇口本体と外気が遮断されるので冬季においても蛇口の凍結や破損を防止できる構造になっている。蛇口カバー２を押し上げるとキックスプリング８の作用により蛇口カバー２は完全に開くことができるので、蛇口Ａのハンドルを容易に回転することができる。蛇口カバー２の開く動作で効果音キット５のスイッチが入り意匠カバー１の形状に関する効果音を鳴らすことを特徴とする。【選択図】図２
2019173529.tif 000002
【特許請求の範囲】
【請求項１】
意匠カバー１は蛇口管理者の好みや使用場所の用途に合ったものとし、例として動物や乗り物又は道具や趣味趣向等のものを意匠カバー１とし、それをカバー２に取付けるもので、且つ付け替え可能を特徴とした効果音付蛇口保温カバーである。
【請求項２】
効果音キット５に内蔵されたプッシュスイッチ５−ｃは、カバー２が閉じている状態ではプッシュスイッチ５−ｃが本体バックガード３−ａに押しつけている状態なので、電源は入らずカバー２を全開にしたときに、本体バックガード３−ａに押しつけられていたプッシュスイッチ５−ｃはカバー２と共に上方へ開きプッシュスイッチ５−ｃが本体バックガード３−ａから離れることによりプッシュスイッチ５−ｃの電源が入り効果音が流れる仕組みになっている効果音付蛇口保温カバーである。
【請求項３】
本体３と本体４を割り開いた状態で、既に設置されている蛇口Ａに蛇口形状に形成されたポリスチレンフォーム６−ａ及び６−ｂを合わせるように閉じていく。本体突爪３−ｄと本体係止穴４−ｄが篏合して固定される。専門的知識や技術が必要なく誰にでも簡単に取り付けることができることが特徴の効果音付蛇口保温カバーである。
【請求項４】
蛇口Ａの取付中心部より本体凸部３−ｆ及び４−ｆを高い位置にオフセットすることにより、カバー２の高さを抑えることができるため、カバー２を開いてハンドルＡ−ａを回転させるときの手や指先がカバー２側面に干渉しない形状が特徴の効果音付蛇口保温カバーである。
【請求項５】
本体側壁３−ｂ及び４−ｂを設けることで、カバー２側面を刳り貫くことができ、ハンドルＡ−ａを回転させるときの手や指先がカバー２側面に干渉しない形状が特徴の効果音付蛇口保温カバーである。
【発明の詳細な説明】
【技術分野】
【０００１】  本発明は衛生器具の蛇口に取付けるもので、冬季における屋外設置の蛇口の凍結による断水及び破損を防ぐ為に用いる効果音付蛇口保温カバーに関する。
【背景技術】
【０００２】  蛇口の凍結を防ぐために、少量の水を出し続けて常に蛇口の中の水を動水し続ける事で凍結や破損を防止している。【０００３】  前記の方法で凍結防止するには、水道代に加え水をポンプ等で送水する場合は更にポンプモーターを動かす為の電気代もかかるため経済的負担を強いられていた。【０００４】  節水やエコなどの観点からしても逆境しており又、冬季には水道管及び蛇口が破損しないかなど蛇口管理者（使用者）の精神的ストレスもある。【０００５】  昨今では衛生器具の蛇口の凍結を防ぐために、不凍水栓や電気ヒーター付保温カバー等を取付ける。
【先行技術文献】
【特許文献】
【０００６】
【特許文献１】実開平０２−０７８６５５
【発明の概要】
【発明が解決しようとする課題】
【０００７】  この様な不凍水栓は構造が複雑であるため、機能不良を起こす可能性がある。また専門的な技術や知識が必要なため一般の人には簡単に取付けることができない。【０００８】  前記、不凍水栓のサーモエレメントが作動し、水を出し始める時の弁の開きが少ないため、配管内のサビ、ゴミ等が弁と本体の間に詰まってしまって、止水不良を起こすおそれがある。
【課題を解決するための手段】
【０００９】  以上の課題を解決するために、本発明に係る効果音付蛇口保温カバーは、既に取付けてある蛇口にワンタッチで被せるだけのシンプルな構造で、蛇口上部に取付けてある開閉カバーは動物や乗り物又は道具や趣味趣向等の意匠を取替られる形状になっており、カバー開閉時にそのカバーの形状に関する効果音を鳴らすことで小さい子供から大人まで幅広いニーズで楽しむことができることを特徴とする。【００１０】  蛇口カバー２を上に開き本体３と本体４を横に開き、蛇口Ａに被せる様にして本体３と本体４を閉じるように篏合して固定する。【００１１】  本体３及び本体４には保温性の高いポリスチレンフォーム６を内蔵し凍結を防止する。【００１２】  蛇口カバー２が蛇口Ａ上部を覆い被せることで、冬季の放射冷却による蛇口の凍結や破損を防ぐことができる。【００１３】  蛇口カバー２を少し上に持ち上げるとキックスプリング８の作用で蛇口カバー２が上に開き蛇口Ａのハンドル操作が容易にできる。閉じる際は蛇口カバー２を押し下げて蛇口カバー２の内側にあるカバー凸部２−ｆが本体凸部３−ｆ及び４−ｆと段違いでかみ合いロックされる。【００１４】  蛇口カバー２を開くと蛇口カバー２内側に取付けられた効果音キット５から効果音が流れ楽しい気持ちになる。
【発明の効果】
【００１５】  本発明によれば、構造が簡単なため誰でも簡単に防寒措置を施すことができ、且つ蛇口が設置されている場所や用途に応じて意匠カバー１と効果音キット５を付け替えることで幅広いニーズに対応することが可能である。
【図面の簡単な説明】
【００１６】
【図１】本発明の実施例の効果音付蛇口保温カバーの斜視図である。
【図２】本発明の実施例の効果音付蛇口保温カバーの展開した斜視図である。
【図３】本発明の実施例の効果音付蛇口保温カバーの分解斜視図である。
【図４】本発明の実施例の効果音付蛇口保温カバーの構造を示した断面図である。
【図５】本発明の実施例の効果音付蛇口保温カバーを展開した断面図である。
【図６】本発明の実施例の効果音付蛇口保温カバーの正面断面図である。
【発明を実施するための形態】
【００１７】  以下、本発明の実施形態を図１〜図５に基づいて説明する。
【００１８】  図１においては、意匠カバー１は蛇口管理者の好みや使用場所の用途に合ったものとし、例として動物や乗り物又は道具や趣味趣向等のものを意匠カバー１とし、それをカバー２に取付けるもので、且つ付け替え可能を特徴とした効果音付蛇口保温カバーである。
【００１９】  上記記載で取付られた意匠カバー１とカバー２を本体ヒンジ穴３−ｃとカバーヒンジ穴２−ｃにシャフト中９を通し連結する。本体ヒンジ穴３−ｅと本体ヒンジ穴４−ｅにシャフト大１０を通して外郭を構成する。
【００２０】  カバー２と本体３及び本体４をそれぞれ塞ぐことで蛇口Ａは外気からほぼ遮断されるので、器具の衛生面や冬季の冷気また北風等を防ぎ蛇口の凍結による断水や破損を防止するものである。
【００２１】  図２においては、意匠カバー１と篏合したカバー２をカバーヒンジ穴２−ｃと本体ヒンジ穴３−ｃにシャフト９を貫通させ本体ヒンジ３の中央部にキックスプリング８のバネ穴にシャフト９を通し連結する。
【００２２】  手でカバー２を上方へ押し上げるとカバー凸部２−ｆと本体凸部３−ｆ及び４−ｆのかみ合わせが外れ、あとはキックスプリング８の作用によってカバー２が押し上げられて全開する。
【００２３】  本体突爪３−ｄと本体係止穴４−ｄとが篏合しているので、脱着をする際は本体係止穴４−ｆにマイナスドライバー等で本体突爪３−ｄを内側へ押し込むことで、篏合が外れ本体３と本体４はヒンジにより割り開くことができる。
【００２４】  本体３と本体４の内面に蛇口Ａの形状に合わせて形成されたポリスチレンフォーム６−ａ及び６−ｂが各々接着されており、冬季の蛇口破損や水の凍結を防止するものである。
【００２５】  本体３と本体４を割り開いた状態で、既に設置されている蛇口Ａに蛇口形状に形成されたポリスチレンフォーム６−ａ及び６−ｂを合わせるように閉じていく。本体突爪３−ｄと本体係止穴４−ｄが篏合して固定される。専門的知識や技術が必要なく誰にでも簡単に取り付けることができることが特徴である。
【００２６】  蛇口Ａの取付中心部より本体凸部３−ｆ及び４−ｆを高い位置にオフセットすることにより、カバー２の高さを抑えることができるため、カバー２を開いてハンドルＡ−ａを回転させるときの手や指先がカバー２側面に干渉しない形状が特徴である。
【００２７】  本体側壁３−ｂ及び４−ｂを設けることで、カバー２側面を刳り貫くことができ、ハンドルＡ−ａを回転させるときの手や指先がカバー２側面に干渉しない形状が特徴である。
【００２８】  本体２を開いた時に、意匠カバー１に関する効果音が効果音キット５から流れ楽しい気分になる。
【００２９】  本体側壁４−ｂの端部小口に本体バックガード３−ａの前面が合わさることで、カバー２を全開しているときの強風などによる横方向にかかる負荷や衝撃等による本体バックガード３−ａの破損防止の為の強度補強の役割を果たしている。
【００３０】  図３においては、意匠カバー１に一体成型された意匠カバー突爪１−ａ及び１−ｂがカバー２のカバー係止穴２−ａ及び２−ｂと篏合して固着される。外す際は意匠カバー突爪１−ａ又は１−ｂを爪の反対方向へ倒して外に押し出す様にすると簡単に外すことができることが特徴である。
【００３１】  カバー受枠２−ｄに効果音キット５の凸部大５−ｄをはめ合わせ、凸部小５−ｅをカバー突爪２−ｅへ押し込むと効果音キット５はカバー２の裏側に固定される。
【００３２】  効果音キット５に内蔵されたプッシュスイッチ５−ｃは、カバー２が閉じている状態ではプッシュスイッチ５−ｃが本体バックガード３−ａに押しつけている状態なので、電源は入らずカバー２を全開にしたときに、本体バックガード３−ａに押しつけられていたプッシュスイッチ５−ｃはカバー２と共に上方へ開きプッシュスイッチ５−ｃが本体バックガード３−ａから離れることによりプッシュスイッチ５−ｃの電源が入り効果音が流れる仕組みになっている。
【００３３】  上記記載した効果音キット５を取付したカバー２は本体３に取付ける。方法はカバーヒンジ穴２−ｃと本体ヒンジ穴３−ｃにシャフト中９を各々に貫通していく。途中キックスプリング８のバネ穴にシャフト中９を通す。これによってカバー２はキックスプリング８の作用により上方に全開した状態を維持することができる。
【００３４】  本体３及び本体４の内側に、蛇口Ａと同形に成型されたポリスチレンフォーム６−ａ及び６−ｂがそれぞれ接着される。これにより冬季でも蛇口Ａは寒さによる破損や水の凍結を防ぐことができる。
【００３５】  ポリスチレンフォームが内蔵された本体３及び本体４は本体ヒンジ穴３−ｅと本体ヒンジ穴４−ｅにシャフト大１０を貫通して結合する。これによって蛇口Ａに取付ける際の本体を横に開閉することができる。
【００３６】  本体３及び本体４の後部に防水性クッション材７−ａ及び７−ｂを各々に接着する。これによって本体後部と蛇口Ａが取付けている壁面との隙間を塞ぎ、蛇口Ａを外気に触れない様にする。故に冬季における蛇口Ａの凍結による破損や水が出ないなどの問題は解決される。
【００３７】  図４においては、意匠カバー１がカバー２に取付けてあり、効果音キット５がカバー２の内側に固定されているもので、それが本体バックガード３−ａにシャフト９によって接続されている状態である。
【００３８】  上記記載のカバー２を閉じている状態のときの効果音キット５に内蔵されたプッシュスイッチ５−ｃは本体バックプレート３−ａによって押し込まれている状態なので電源は入らず効果音は鳴らない。
【００３９】  カバー２側面と本体側壁３−ｂとの端部が合致しているので、外部からのゴミの侵入や冬季での北風を防ぐことができる形状を特徴としている。
【００４０】  図５においては、図４で述べたカバー２と本体バックガード３−ｃを連結しているシャフト中９により、カバー２を上方へ開放することができる。またシャフト９に通されたキックスプリング８の作用により持ち上げられたカバー２が下がることなく全開した状態を維持することができる。
【００４１】  カバー２が押し上げられている状態になると、効果音キット５に内蔵されたプッシュスイッチ５−ｃが飛び出して電源が入るので効果音が鳴るようになる。
【００４２】  図６においては、本体凸部３−ｆ及び４−ｆにカバー２内面のカバー凸部２−ｆが段違いにてかみ合いカバー２を閉じた状態を保持する。
【符号の説明】
【００４３】  １      意匠カバー
１−ａ  意匠カバー突爪
１−ｂ  意匠カバー突爪
２      カバー
２−ａ  カバー係止穴
２−ｂ  カバー係止穴
２−ｃ  カバーシャフト穴
２−ｄ  カバー受枠
２−ｅ  カバー突爪
２−ｆ  カバー凸部
３      本体
３−ａ  本体バックガード
３−ｂ  本体側壁
３−ｃ  本体ヒンジ穴
３−ｄ  本体突爪
３−ｅ  本体ヒンジ穴
３−ｆ  本体凸部
４      本体
４−ｂ  本体側壁
４−ｄ  本体係止穴
４−ｅ  本体ヒンジ穴
４−ｆ  本体凸部
５      効果音キット
５−ｃ  プッシュスイッチ
５−ｄ  凸部大
５−ｅ  凸部小
６−ａ  ポリスチレンフォーム
６−ｂ  ポリスチレンフォーム
７−ａ  防水性クッション材
７−ｂ  防水性クッション材
８      キックスプリング
９      シャフト中
１０    シャフト大
Ａ      蛇口
Ａ−ａ  ハンドル
【図１】
2019173529.tif 000003
【図２】
2019173529.tif 000004
【図３】
2019173529.tif 000005
【図４】
2019173529.tif 000006
【図５】
2019173529.tif 000007
【図６】
2019173529.tif 000008